(57)【要約】【課題】担当者が記憶している情報量に拘わらず、上棟後に建物に取り付ける複数の部材や設備の高さを容易に確認できる確認用定規を提供する。【解決手段】確認用定規１を、帯状の定規本体２に、寸法測定用の目盛５が定規本体２の長手方向に沿って表示されるとともに、複数の部材や設備の高さを示す高さ表示部６が、当該複数の部材や設備の高さと同値の前記目盛５の隣りにそれぞれ表示されている構成とする。したがって、担当者は顧客に対して上棟後に建物に取り付ける複数の部材や設備の高さを容易かつ確実に示すことができるので、担当者が記憶している情報量に拘わらず、顧客は上棟後に建物に取り付ける複数の部材や設備の高さを容易に確認できる。【選択図】図１
2011094402.tif 000002
【特許請求の範囲】
【請求項１】
建物に取り付ける複数の部材や設備の高さを上棟後に確認するための確認用定規であって、
帯状の定規本体に、寸法測定用の目盛が前記定規本体の長手方向に沿って表示されるとともに、前記複数の部材や設備の高さを示す高さ表示部が、当該複数の部材や設備の高さと同値の前記目盛の隣りにそれぞれ表示されていることを特徴とする確認用定規。
【請求項２】
請求項１に記載の確認用定規において、
前記定規本体に、前記目盛に沿って、前記複数の部材や設備の幅を示す幅表示部がそれぞれ表示されていることを特徴とする確認用定規。
【請求項３】
請求項１または２に記載の確認用定規において、
前記定規本体に、スイッチおよび／またはコンセントの実大図が実際の高さと同値の目盛の隣りに表示されていることを特徴とする確認用定規。 
【請求項４】
請求項１〜３のいずれか一項に記載の確認用定規において、
前記定規本体に複数天井勾配角度を図示した天井勾配表示部が表示されていることを特徴とする確認用定規。 
【請求項５】
請求項１〜４のいずれか一項に記載の確認用定規において、
前記定規本体に、壁断面の一部を図示した壁断面表示部が表示されていることを特徴とする確認用定規。
【発明の詳細な説明】
【技術分野】
【０００１】
本発明は、建物に取り付ける複数の部材や設備の高さを上棟後に確認するための確認用定規に関する。
【背景技術】
【０００２】
上棟後、建物の中で住宅メーカ等の担当者が、顧客との間で部材や設備の高さを決める打ち合わせを行う場合、巻尺等の定規を用いて顧客に設備等の高さを示し、顧客に設備等の高さのイメージをしてもらいながら打ち合わせをしていた。
前記巻尺等の一例としては、特許文献１に記載のものが知られている。この巻尺は、空中伸張状態における測定テープに生じる捩れを低減し、空中伸張状態での測定を安定して行うことができ、しかも測定目盛の読み取りを容易かつ正確に行うことができるようにしたものである。
【先行技術文献】
【特許文献】
【０００３】
【特許文献１】特開２００８−２６８１４２号公報
【発明の概要】
【発明が解決しようとする課題】
【０００４】
しかしながら、巻尺等の定規で部材や設備の高さを顧客に示す場合、部材や設備の高さは、それら部材や設備ごとに異なるので、これら部材や設備の高さの情報を担当者が全て記憶して、巻尺で高さを示すことは困難であるとともに、記憶した情報量も担当者によってバラツキがある。
また、担当者は通常、部材や設備についてカタログ等を持参しているが、このカタログ中から部材や設備の高さの情報を抽出して、巻尺を用いて顧客に設備等の高さを示すのには、手間がかかるとともに、顧客も設備等の高さのイメージを持ち難いため、複数の部材や設備の高さを容易に確認できなかった。
【０００５】
本発明は上記事情に鑑みてなされたもので、担当者が記憶している情報量に拘わらず、上棟後に建物に取り付ける複数の部材や設備の高さを容易に確認できる確認用定規を提供することを課題としている。
【課題を解決するための手段】
【０００６】
上記課題を解決するために、請求項１に記載の発明は、例えば図１〜図４に示すように、建物に取り付ける複数の部材や設備の高さを上棟後に確認するための確認用定規１であって、
帯状の定規本体２に、寸法測定用の目盛５が前記定規本体２の長手方向に沿って表示されるとともに、前記複数の部材や設備の高さを示す高さ表示部６が、当該複数の部材や設備の高さと同値の前記目盛５の隣りにそれぞれ表示されていることを特徴とする。
【０００７】
請求項１に記載の発明によれば、定規本体２に、複数の部材や設備の高さを示す高さ表示部６が、当該複数の部材や設備の高さと同値の目盛５の隣りにそれぞれ表示されているので、担当者は顧客に対して上棟後に建物に取り付ける複数の部材や設備の高さを容易かつ確実に示すことができる。したがって、担当者が記憶している情報量に拘わらず、顧客は上棟後に建物に取り付ける複数の部材や設備の高さを容易に確認できる。
また、顧客は、高さ表示部６を、目盛５と比較することによって、取り付く予定の部材や設備の高さを正確に把握できるとともに、これら部材や設備の位置を、予定高さから所定の寸法だけ、上下に変更したい旨を担当者に容易に伝えることができる。
【０００８】
請求項２に記載の発明は、例えば図５〜図７に示すように、請求項１に記載の確認用定規１において、
前記定規本体２に、前記目盛５に沿って、前記複数の部材や設備の幅を示す幅表示部１０がそれぞれ表示されていることを特徴とする。
【０００９】
請求項２に記載の発明によれば、定規本体２に、目盛５に沿って、複数の部材や設備の幅を示す幅表示部１０がそれぞれ表示されているので、担当者は顧客に対して上棟後に建物に取り付ける複数の部材や設備の幅を容易かつ確実に示すことができる。したがって、担当者が記憶している情報量に拘わらず、顧客は上棟後に建物に取り付ける複数の部材や設備の幅を容易に確認できる。
また、顧客は、幅表示部１０を、目盛５と比較することによって、取り付く予定の部材や設備の幅を正確に把握できるとともに、これら部材や設備の幅を、予定幅から所定の寸法だけ、長くまたは短く変更したい旨を担当者に容易に伝えることができる。
【００１０】
請求項３に記載の発明は、例えば図１、図２、図４に示すように、請求項１または２に記載の確認用定規１において、
前記定規本体２に、スイッチおよび／またはコンセントの実大図７が実際の高さと同値の目盛５の隣りに表示されていることを特徴とする。
【００１１】
請求項３に記載の発明によれば、定規本体２に、スイッチおよび／またはコンセントの実大図７が実際の高さと同値の目盛５の隣りに表示されているので、顧客はスイッチおよび／またはコンセントの実際の大きさや形状と高さを確認でき、顧客の視覚的把握を助けることができる。
また、顧客は、スイッチおよび／またはコンセントの実大図７を、目盛５と比較することによって、取り付く予定のスイッチおよび／またはコンセントの大きさや位置を正確に把握できるとともに、スイッチおよび／またはコンセントの大きさや位置を、予定の大きさや位置から変更したい旨を担当者に容易に伝えることができる。
【００１２】
請求項４に記載の発明は、例えば図５および図７に示すように、請求項１〜３のいずれか一項に記載の確認用定規１において、
前記定規本体２に複数の天井勾配角度を図示した天井勾配表示部１１が表示されていることを特徴とする。
【００１３】
請求項４に記載の発明によれば、定規本体２に複数の天井勾配角度を図示した天井勾配表示部８が表示されているので、顧客は天井勾配の角度を容易に確認できるとともに、天井勾配角度を、予定の角度から変更したい旨を担当者に容易に伝えることができる。
【００１４】
請求項５に記載の発明は、例えば図１および図２に示すように、請求項１〜４のいずれか一項に記載の確認用定規において、
前記定規本体２に、壁断面の一部を図示した壁断面表示部８が表示されていることを特徴とする。
【００１５】
請求項５に記載の発明によれば、定規本体２に、壁断面の一部を図示した壁断面表示部８が表示されているので、顧客は壁内部の構造を容易に確認できる。
【発明の効果】
【００１６】
本発明によれば、帯状の定規本体に、寸法測定用の目盛が前記定規本体の長手方向に沿って表示されるとともに、前記複数の部材や設備の高さを示す高さ表示部が、当該複数の部材や設備の高さと同値の前記目盛の隣りにそれぞれ表示されているので、担当者は顧客に対して上棟後に建物に取り付ける複数の部材や設備の高さを容易かつ確実に示すことができる。したがって、担当者が記憶している情報量に拘わらず、顧客は上棟後に建物に取り付ける複数の部材や設備の高さを容易に確認できる。
また、顧客は、高さ表示部を、目盛と比較することによって、取り付く予定の部材や設備の高さを正確に把握できるとともに、これら部材や設備の位置を、予定高さから所定の寸法だけ、上下に変更したい旨を担当者に容易に伝えることができる。
【図面の簡単な説明】
【００１７】
【図１】本発明に係る確認用定規の一例を示すもので、その表面図である。
【図２】同、確認用定規の上端部の表面図である。
【図３】同、確認用定規の中央部の表面図である。
【図４】同、確認用定規の下端部の表面図である。
【図５】同、裏面図である。
【図６】同、幅表示部が表示されている部位を示す裏面図である。
【図７】同、確認用定規の上端部の表面図である
【発明を実施するための形態】
【００１８】
以下、図面を参照して本発明に係る確認用定規の実施の形態について説明する。
図１および図５に示すように、本実施の形態の確認用定規１は、建物に取り付ける複数の部材や設備の高さや幅等を上棟後に確認するためのものであって、上下に長尺な帯状の板材からなる定規本体２と、この定規本体２の外周部に取り付けられた保護部材３とを備えている。定規本体２は例えば硬性の樹脂板で形成され、保護部材３はアルミ等の軽金属で形成されている。
なお、図１は確認用定規１の表面を示し、図５は確認用定規１の裏面を示す。
【００１９】
定規本体２は長さ１４００ｍｍ（１．４ｍ）、幅２００ｍｍ（０．２ｍ）程度の長尺のものであり、その表裏両面の一方の縁部に、寸法測定用の目盛５が定規本体２の長手方向に沿って表示されている。目盛５は１ｍｍ間隔で表示されており、５０ｍｍおきに寸法値が数字で表示されている。
定規本体２の表面には、図１〜図４に示すように、複数の部材や設備の高さを示す高さ表示部６が、当該複数の部材や設備の高さと同値の目盛５の隣りにそれぞれ表示されている。
高さ表示部６は、部材や設備の名称６ａと、この名称６ａの左側に表示された「▼」または「▲」の三角マーク６ｂと、名称６ａの直下に表示された一直線状のライン６ｃとから構成されている。
【００２０】
部材や設備の名称６ａとしては、例えば定規本体２の表面の上から順に、「洗濯水栓Ｈ 1300」、「スイッチ  1200」、「配膳カウンター 940」、「芯材  910」、「ロータンクＨ 880」、「玄関収納  手洗いカウンター860」、「キッチンＨ 850」、「洗化粧台 800」、「階段手摺 780」、「中段Ｈ 750（標準天端）」、「ＭＢカウンターテーブルＨ  食卓Ｈ 700」、「トイレ手摺下端 600」、「芯材 455」、「ＡＶキャビ 400」、「便器Ｈ 370」、「コンセント  250（巾木大）」、「コンセント 200」、「巾木大 150」、「巾木中 90」、「巾木小 60」等がある。これら名称中のうちの数値は、名称が示す部材や設備の高さをｍｍで示すものである。
【００２１】
三角マーク６ｂは、その頂点によってライン６ｃを差すものであるが、「▼」または「▲」の二種類のマークがあるのは、上下に隣り合う部材や設備の名称６ａ，６ａどうしが近い場合に、それらの部材や設備の高さがどちらであるかを明示するためである。
ライン６ｃは、定規本体２の長手方向と直交する方向に延びる線で構成されており、目盛５の目盛線に比して十分長くなっている。ライン６ｃは部材や設備の上端の高さや、部材や設備の上下方向中央部の高さを示している。
部材や設備が「スイッチ」、「コンセント」、「芯材」の場合は、ライン６ｃはこれらの上下方向中央部の高さを示し、部材や設備が「洗濯水栓」、「配膳カウンター」、「ロータンク」、「玄関収納  手洗いカウンター」、「キッチン」、「洗化粧台」、「階段手摺」、「中段」、「ＭＢカウンターテーブル  食卓」、「トイレ手摺下端」、「ＡＶキャビ」、「便器」、「巾木大」、「巾木中」、「巾木」等の場合は、これらの上端の高さを示している。
なお、「芯材  910」や「芯材 455」で示される部材の名称６ａのうちの、「芯材」は建物の壁を構成する壁パネル内に配置された横芯材を示し、「910」や「455」は「芯材」の壁パネルの下端からの高さを示している。
【００２２】
また、定規本体２の表面の上端部には、スイッチの実大図７が実際の高さと同値の目盛５の隣に表示されており、下端部にはコンセントの実大図７が実際の高さと同値の目盛５の隣に表示されている。
さらに、定規本体２の表面の上端部には、スイッチの実大図７より下方に、壁断面の一部を図示した壁断面表示部８が表示されている。この壁断面表示部８に表示されている壁断面は実大図で表示されている。
【００２３】
定規本体２の裏面には、図５〜図７に示すように、前記目盛５に沿って、複数の部材や設備の幅を示す幅表示部１０がそれぞれ表示されている。
幅表示部１０は、部材や設備の名称１０ａと、この名称１０ａを囲むようにして表示されて、部材や設備の幅を示す長方形部１０ｂとから構成されている。
部材や設備の名称１０ａとしては、「キッチンD650（標準天端850）」、「天棚 D330（標準天端1830）」、「中段 D787.5（標準天端 750）」、「洗面化粧台 600」、「洗面化粧台Ｄ 幅750」、「洗面化粧台Ｄ 幅900」、「防水パン  □640」、「内部ドア枠内 763」、「框   90mm」等がある。これら名称中のうちの数値は、名称が示す部材や設備の幅をｍｍで示すものである。
長方形部１０ｂは、部材や設備の幅を視覚的に表示するものであり、図５および図６に示す左端ａ１から右端ａ２までの長さが、実際の部材や設備の幅を示している。
なお、「框」は、「天棚」、「キッチン」等の端部に取り付ける化粧材のことであり、「框   90mm」のうちの数値は、框の幅を示している。
【００２４】
また、定規本体２の裏面の上端部（図５では右端部）には、複数天井勾配角度を図示した天井勾配表示部１１が表示されている。この天井勾配表示部１１は、二種類の勾配を数値で表示した数値表示部１１ａ，１１ａと、二種類の勾配を傾斜した直線で表示した傾斜ライン１１ｂ，１１ｂと、水平線を示す水平ライン１１ｃとで構成されている。
このような天井勾配表示部１１は、確認用定規１を天井勾配表示部１１が上端部に位置するようにして立てた状態で使用される。そして、水平ライン１１ｃに対する傾斜ライン１１ｂ，１１ｂの角度を見ることで、天井の勾配を確認できる。
また、定規本体２の裏面には、天井勾配表示部１１の下方に、天井部の断面の実大図１２が表示されている。天井部は、石膏ボードとその上に設けられる断熱材とから構成されており、石膏ボードの下面が、「天井高 2400」として表示されている。これは、天井高が2400ｍｍであることを示している。
【００２５】
本実施の形態の確認用定規１は、建物に取り付ける複数の部材や設備の高さや幅を上棟後に確認する際に使用される。例えば、住宅メーカの担当者が確認用定規１を使用して、顧客に対して、部材や設備の高さや幅を示す。この場合、確認用定規１を上下に向けて、壁に押し当てつつ、高さ表示部６を顧客に示すことによって、顧客は部材や設備の高さを視覚的に容易に確認できる。また、確認用定規１を水平に向けて、幅表示部１０を顧客に示すことによって、顧客は部材や設備の幅を視覚的に容易に確認できる。
【００２６】
本実施の形態によれば、定規本体２に、複数の部材や設備の高さを示す高さ表示部６が、当該複数の部材や設備の高さと同値の目盛５の隣りにそれぞれ表示されているので、担当者は顧客に対して上棟後に建物に取り付ける複数の部材や設備の高さを容易かつ確実に示すことができる。したがって、担当者が記憶している情報量に拘わらず、顧客は上棟後に建物に取り付ける複数の部材や設備の高さを容易に確認できる。
また、顧客は、高さ表示部６を、目盛５と比較することによって、取り付く予定の部材や設備の高さを正確に把握できるとともに、これら部材や設備の位置を、予定高さから所定の寸法だけ、上下に変更したい旨を担当者に容易に伝えることができる。
【００２７】
また、定規本体２に、目盛５に沿って、複数の部材や設備の幅を示す幅表示部１０がそれぞれ表示されているので、担当者は顧客に対して上棟後に建物に取り付ける複数の部材や設備の幅を容易かつ確実に示すことができる。したがって、担当者が記憶している情報量に拘わらず、顧客は上棟後に建物に取り付ける複数の部材や設備の幅を容易に確認できる。
また、顧客は、幅表示部１０を、目盛５と比較することによって、取り付く予定の部材や設備の幅を正確に把握できるとともに、これら部材や設備の幅を、予定幅から所定の寸法だけ、長くまたは短く変更したい旨を担当者に容易に伝えることができる。
【００２８】
さらに、定規本体２に、スイッチやコンセントの実大図７が実際の高さと同値の目盛５の隣りに表示されているので、顧客はスイッチやコンセントの実際の大きさや形状と高さを確認でき、顧客の視覚的把握を助けることができる。
また、顧客は、スイッチやコンセントの実大図７を、目盛５と比較することによって、取り付く予定のスイッチやコンセントの大きさや位置を正確に把握できるとともに、スイッチやコンセントの大きさや位置を、予定の大きさや位置から変更したい旨を担当者に容易に伝えることができる。
加えて、定規本体２に複数の天井勾配角度を図示した天井勾配表示部１１，１１が表示されているので、顧客は天井勾配の角度を容易に確認できるとともに、天井勾配角度を、予定の角度から変更したい旨ことを担当者に容易に伝えることができる。
また、定規本体２に、壁断面の一部を図示した壁断面表示部８が表示されているので、顧客は壁内部の構造を容易に確認できる。
【００２９】
なお、本実施の形態では、確認用定規１を硬性の樹脂からなる定規本体２と、この定規本体２の外周部に取り付けられた保護部材３とを備えた構成としたが、これに限らず、定規本体２を軟性の樹脂で形成し、保護部材３を省略してもよい。定規本体２を軟性の樹脂で形成した場合、渦巻状に巻くことができるので、収納や持ち運びが便利となる。
【符号の説明】
【００３０】
１  確認用定規
２  定規本体
５  目盛
６  高さ表示部
７  実大図
８  壁断面表示部
１０  幅表示部
１１  天井勾配表示部
【図１】
2011094402.tif 000003
【図２】
2011094402.tif 000004
【図３】
2011094402.tif 000005
【図４】
2011094402.tif 000006
【図５】
2011094402.tif 000007
【図６】
2011094402.tif 000008
【図７】
2011094402.tif 000009